(57)【特許請求の範囲】
【請求項１】
対象物に設けられた設置媒体を識別する識別データと、該識別データの受信状態によって規定される動作状態と、指定動作とを関連付ける１つ又は複数の動作指定レコードを管理するように構成されている情報管理部と、
前記設置媒体から送信される識別データを受信するように構成されている識別データ読取部と、
前記識別データの受信状態によって規定される所定の動作状態が検出される場合、該識別データと該動作状態とを含む動作指定レコードにおける指定動作を実行するように構成されている実行部と具備し、
前記情報管理部は、該移動通信端末固有の個別動作指定レコード及び全ての移動通信端末に共通の共通動作指定レコードを管理しており、
前記実行部は、
任意タグ監視モードで動作中に、前記識別データの受信状態によって規定される所定の動作状態が検出される場合、該識別データと該動作状態とを含む共通動作指定レコードにおける指定動作を実行するように構成されるとともに、
特定タグ監視モードで動作中に、前記識別データの受信状態によって規定される所定の動作状態が検出される場合、該識別データと該動作状態とを含む個別動作指定レコードにおける指定動作を実行するように構成されており、
前記識別データ読取部は、前記任意タグ監視モードで動作中に、前記設置媒体から送信される識別データを常時受信することによって前記共通動作指定レコードに含まれている識別データを受信し、前記特定タグ監視モードで動作中に、前記設置媒体から送信される識別データを所定タイミングで受信することによって前記個別動作指定レコードに含まれている識別データを受信するように構成されていることを特徴とする移動通信端末。
【請求項２】
前記識別データ読取部は、前記特定タグ監視モードで動作中に、前記設置媒体から送信される識別データを常時受信することによって、前記個別動作指定テーブルに含まれている識別データが送信される前記所定タイミングを学習するように構成されていることを特徴とする請求項１に記載の移動通信端末。
【請求項３】
前記動作状態は、Ｉｎｔｏ状態及びＯｕｔ状態を含み、
前記実行部は、前記識別データの受信開始が検知された場合、該識別データとＩｎｔｏ状態とを含む動作指定レコードにおける指定動作を実行するように構成されており、
前記実行部は、前記識別データの受信中断が検知された場合、該識別データとＯｕｔ状態とを含む動作指定レコードにおける指定動作を実行するように構成されていることを特徴とする請求項１又は２に記載の移動通信端末。
【請求項４】
前記実行部は、任意タグ監視モードで動作中に、前記識別データの受信開始が検知された場合、該識別データとＩｎｔｏ状態とを含む動作指定レコードにおける指定動作として、前記移動通信端末によって表示可能な視聴データが蓄積されている装置のアドレスを取得する動作を実行するように構成されていることを特徴とする請求項３に記載の移動通信端末。
【請求項５】
前記実行部は、特定タグ監視モードで動作中に、前記識別データの受信中断が検知された場合、該識別データとＯｕｔ状態とを含む動作指定レコードにおける指定動作として、警告画面を表示する動作を実行するように構成されていることを特徴とする請求項３に記載の移動通信端末。
【請求項６】
情報管理装置から、移動端末の識別情報と前記識別データと前記動作状態と前記指定動作とを関連付ける個別動作指定レコードを受信するように構成されている情報受信部を具備し、
前記情報管理部は、受信した前記個別動作指定レコードの中から、前記移動通信端末の識別情報を含む個別動作指定レコードを取得し、該個別動作指定レコードに基づいて、前記動作指定レコードを管理するように構成されていることを特徴とする請求項１に記載の移動通信端末。
【請求項７】
情報管理装置を具備しており、移動通信端末に対してサービスを提供するサービス提供システムであって、
前記情報管理装置は、対象物に設けられた設置媒体を識別する識別データと、該識別データの受信状態によって規定される動作状態と、指定動作とを関連付ける複数の動作指定レコードを含む動作指定テーブルを管理するように構成されている動作指定テーブル記憶部を具備し、
前記移動通信端末は、
前記情報管理装置から送信された動作指定レコードの中から、該移動通信端末固有の個別動作指定レコード及び全ての移動通信端末に共通の共通動作指定レコードを抽出して管理するように構成されている情報管理部と、
前記設置媒体から送信される識別データを受信するように構成されている識別データ読取部と、
前記識別データの受信状態によって規定される所定の動作状態が検出される場合、該識別データと該動作状態とを含む個別動作指定レコード又は共通動作指定レコードにおける指定動作を実行するように構成されている実行部と具備し、
前記情報管理部は、該移動通信端末固有の個別動作指定レコード及び全ての移動通信端末に共通の共通動作指定レコードを管理しており、
前記実行部は、
任意タグ監視モードで動作中に、前記識別データの受信状態によって規定される所定の動作状態が検出される場合、該識別データと該動作状態とを含む共通動作指定レコードにおける指定動作を実行するように構成されるとともに、
特定タグ監視モードで動作中に、前記識別データの受信状態によって規定される所定の動作状態が検出される場合、該識別データと該動作状態とを含む個別動作指定レコードにおける指定動作を実行するように構成されており、
前記識別データ読取部は、前記任意タグ監視モードで動作中に、前記設置媒体から送信される識別データを常時受信することによって前記共通動作指定レコードに含まれている識別データを受信し、前記特定タグ監視モードで動作中に、前記設置媒体から送信される識別データを所定タイミングで受信することによって前記個別動作指定レコードに含まれている識別データを受信するように構成されていることを特徴とするサービス提供システム。
【発明の詳細な説明】
【技術分野】
【０００１】
本発明は、移動通信端末、及び、情報管理装置を具備しており移動通信端末に対してサービスを提供するサービス提供システムに関する。
【背景技術】
【０００２】
従来、展覧会会場や博覧会会場等の催し物会場において被鑑賞対象の案内を自動的に行う様々な装置が開発されている。
【０００３】
例えば、特許文献１のように、固有の識別データを無線で送信する装置が取り付けられた被鑑賞対象の案内装置と、識別データを受信する機能と識別データに関連付けられた鑑賞データを保存する機能と受信した識別データに対応する鑑賞データを再生する機能とを有する移動通信端末とを組み合わせて利用することによって、被鑑賞対象の案内を自動的に行う技術が知られている。
【特許文献１】特許第２７６５７０３号公報
【発明の開示】
【発明が解決しようとする課題】
【０００４】
しかしながら、上述した従来技術では、移動通信端末に鑑賞データを予め保持しておく必要があるため、案内内容が画一的となり、鑑賞者に応じて案内内容を変更することができないという問題点があった。
【０００５】
また、従来、ユーザが所有する貴重品（財布やパーソナルコンピュータ等）が、気付かないうちに、当該ユーザの周りからなくなったときに、かかる事実を容易に感知する技術が考えられていなかった。
【０００６】
そこで、本発明は、上述の課題に鑑みてなされたものであり、各ユーザの移動通信端末を利用して複数のサービスを容易に提供することができるサービス提供システム、及び、かかるサービス提供システムで用いられる移動通信端末を提供することを目的とする。
【課題を解決するための手段】
【０００７】
本発明の第１の特徴は、対象物に設けられた設置媒体を識別する識別データと、該識別データの受信状態によって規定される動作状態と、指定動作とを関連付ける１つ又は複数の動作指定レコードを管理するように構成されている情報管理部と、前記設置媒体から送信される識別データを受信するように構成されている識別データ読取部と、前記識別データの受信状態によって規定される所定の動作状態が検出される場合、該識別データと該動作状態とを含む動作指定レコードにおける指定動作を実行するように構成されている実行部と具備する移動通信端末であることを要旨とする。
【０００８】
かかる発明によれば、移動通信端末において受信される識別データ及び該識別データの受信状態によって規定される動作状態によって実行すべき動作を指定することができるため、各ユーザの移動通信端末を利用して、複数のサービス（例えば、各ユーザの移動通信端末に配信する視聴データ（コンテンツ）を柔軟に変更するサービスや、ユーザの貴重品を監視するサービス等）を容易に提供することができる。
【０００９】
本発明の第１の特徴において、前記情報管理部が、該移動通信端末固有の個別動作指定レコード及び全ての移動通信端末に共通の共通動作指定レコードを管理しており、前記実行部が、任意タグ監視モードで動作中に、前記識別データの受信状態によって規定される所定の動作状態となる場合、該識別データと該動作状態とを含む共通動作指定レコードにおける指定動作を実行するように構成されており、前記実行部が、特定タグ監視モードで動作中に、前記識別データの受信状態によって規定される所定の動作状態が検出される場合、該識別データと該動作状態とを含む個別動作指定レコードにおける指定動作を実行するように構成されていてもよい。
【００１０】
かかる発明によれば、任意タグ監視モードにおいて、全てのユーザに共通のサービスを提供することができ、特定タグ監視モードにおいて、ユーザ固有のサービスを提供することができる。
【００１１】
本発明の第１の特徴において、前記識別データ読取部が、前記任意タグ監視モードで動作中に、前記設置媒体から送信される識別データを常時受信することによって前記共通動作指定レコードに含まれている識別データを受信し、前記特定タグ監視モードで動作中に、前記設置媒体から送信される識別データを所定タイミングで受信することによって前記個別動作指定レコードに含まれている識別データを受信するように構成されていてもよい。
【００１２】
本発明の第１の特徴において、前記識別データ読取部が、前記特定タグ監視モードで動作中に、前記設置媒体から送信される識別データを常時受信することによって、前記個別動作指定テーブルに含まれている識別データが送信される前記所定タイミングを学習するように構成されていてもよい。
【００１３】
かかる発明によれば、識別データ読取部が、対象物に設けられている設置媒体により特定タグ監視モード用の識別データ（自分宛ての）が送信される所定タイミングを学習し、学習した所定タイミングのみで設置媒体から送信された識別データを受信すればよいため、移動通信端末における消費電力を節約することができる。
【００１４】
本発明の第１の特徴において、前記動作状態が、Ｉｎｔｏ状態及びＯｕｔ状態を含み、前記実行部が、前記識別データの受信開始が検知された場合、該識別データとＩｎｔｏ状態とを含む動作指定レコードにおける指定動作を実行するように構成されており、前記実行部が、前記識別データの受信中断が検知された場合、該識別データとＯｕｔ状態とを含む動作指定レコードにおける指定動作を実行するように構成されていてもよい。
【００１５】
本発明の第１の特徴において、前記実行部が、任意タグ監視モードで動作中に、前記識別データの受信開始が検知された場合、該識別データとＩｎｔｏ状態とを含む動作指定レコードにおける指定動作として、前記移動通信端末によって表示可能な視聴データが蓄積されている装置のアドレスを取得する動作を実行するように構成されていてもよい
本発明の第１の特徴において、前記実行部が、特定タグ監視モードで動作中に、前記識別データの受信中断が検知された場合、該識別データとＯｕｔ状態とを含む動作指定レコードにおける指定動作として、警告画面を表示する動作を実行するように構成されていてもよい。
【００１６】
本発明の第１の特徴において、情報管理装置から、移動端末の識別情報と前記識別データと前記動作状態と前記指定動作とを関連付ける個別動作指定レコードを受信するように構成されている情報受信部を具備し、前記情報管理部は、受信した前記個別動作指定レコードの中から、前記移動通信端末の識別情報を含む個別動作指定レコードを取得し、該個別動作指定レコードに基づいて、前記動作指定レコードを管理するように構成されていてもよい。
【００１７】
かかる発明によれば、各移動通信端末は、自身の識別情報を含む個別動作指定レコードのみを管理するように構成されているので、他の移動通信端末が保有する設置媒体から送信される識別データを監視することができず、セキュリティの向上が図られる。
【００１８】
本発明の第２の特徴は、情報管理装置を具備しており、移動通信端末に対してサービスを提供するサービス提供システムであって、前記情報管理装置は、対象物に設けられた設置媒体を識別する識別データと、該識別データの受信状態によって規定される動作状態と、指定動作とを関連付ける複数の動作指定レコードを含む動作指定テーブルを管理するように構成されている動作指定テーブル記憶部を具備し、前記移動通信端末は、前記情報管理装置から送信された動作指定レコードの中から、該移動通信端末固有の個別動作指定レコード及び全ての移動通信端末に共通の共通動作指定レコードを抽出して管理するように構成されている情報管理部と、前記設置媒体から送信される識別データを受信するように構成されている識別データ読取部と、前記識別データの受信状態によって規定される所定の動作状態が検出される場合、該識別データと該動作状態とを含む個別動作指定レコード又は共通動作指定レコードにおける指定動作を実行するように構成されている実行部と具備することを要旨とする。
【発明の効果】
【００１９】
以上説明したように、本発明によれば、各ユーザの移動通信端末を利用して複数のサービスを容易に提供することができるサービス提供システム、及び、かかるサービス提供システムで用いられる移動通信端末を提供することができる。
【発明を実施するための最良の形態】
【００２０】
（本発明の第１の実施形態に係るサービス提供システム）
図１乃至図４を参照して、本発明の第１の実施形態に係るサービス提供システムの構成について説明する。
【００２１】
本実施形態に係るサービス提供システムは、図１に示すように、展示物や場所や貴重品等の対象物１に設けられた設置媒体２と、識別データ読取装置３が装着された再生装置１０と、情報管理装置２０と、視聴データ提供装置３０とを具備している。
【００２２】
なお、本実施形態では、設置媒体２として「アクティブＲＦＩＤタグ」を用いる例について説明するが、本発明は、かかる例に限定されるものではなく、当該設置媒体２を識別する識別データを送信するように構成されている任意の媒体を用いる例に対して適用可能である。本明細書では、以下、設置媒体２をアクティブＲＦＩＤタグ２と記載し、識別データをタグＩＤと記載する。
【００２３】
また、同様に、本実施形態では、識別データ読取装置３として「アクティブＲＦＩＤリーダ」を用い、再生装置１０として「移動通信端末」を用いる例について説明するが、本発明は、かかる例に限定されるものではなく、他の識別データ読取装置３及び再生装置１０を用いる例についても適用可能である。本明細書では、以下、再生装置１０を移動通信端末１０と記載し、識別データ読取装置３をアクティブＲＦＩＤリーダ３とする。
【００２４】
例えば、設置媒体２としてのアクティブＲＦＩＤタグ２が、立ち入り禁止場所（対象物１）に設置されており、かかる立ち入り禁止場所のゲート付近に、識別データ読取装置３としてのアクティブＲＦＩＤリーダ３を装着している移動通信端末１０が近づくと、移動通信端末１０は、アクティブＲＦＩＤリーダ３を介して、アクティブＲＦＩＤタグ２から送信されるタグＩＤを検出して、所定の動作（例えば、アラーム発生動作等）を行うように構成されていてもよい。
【００２５】
アクティブＲＦＩＤタグ２は、上述の対象物１に括りつけられており、当該アクティブＲＦＩＤタグ２を識別するタグＩＤを送信するように構成されている。
【００２６】
任意タグ監視モード（後述）で用いられるアクティブＲＦＩＤタグ２と特定タグ監視モード（後述）で用いられるアクティブＲＦＩＤタグ２との間では、タグＩＤの送信特性（例えば、送信周波数や送信間隔等）が異なっている。なお、かかるタグＩＤの送信特性は、特定タグ監視モードで用いられるアクティブＲＦＩＤタグ２ごとに異なっていてもよい。
【００２７】
任意タグ監視モードで用いられるアクティブＲＦＩＤタグ２によって送信されるタグＩＤは、不特定多数の移動通信端末１０において受信される必要があるため、情報通知の迅速化という観点から、短かめの送信間隔で送信されるように設定されている。
【００２８】
一方、特定タグ監視モードで用いられるアクティブＲＦＩＤタグ２によって送信されるタグＩＤは、予めタグＩＤが送信されるタイミング（所定タイミング）を学習した特定の移動通信端末１０において受信されればよいので、電池寿命の改善という観点から、長めの送信間隔で送信されるように設定されている。
【００２９】
情報管理装置２０は、対象物１に設けられたアクティブＲＦＩＤタグ２を識別するタグＩＤと、当該タグＩＤの受信状態によって規定される動作状態と、指定動作とを関連付ける複数の動作指定レコードを含む動作指定テーブルを管理するように構成されている動作指定テーブル記憶部２０Ａを具備する。
【００３０】
例えば、動作指定テーブル記憶部２０Ａは、図２に示すような動作指定テーブルを記憶するように構成されている。図２の例では、動作指定テーブルは、「機体番号」と「タグＩＤ」と「動作状態」と「指定動作」とを関連付ける複数の動作指定レコードによって構成されている。
【００３１】
「機体番号」は、移動通信端末１０の識別情報の一種であり、「タグＩＤ」は、アクティブＲＦＩＤタグ２の識別情報であり、「動作状態」は、当該タグＩＤの受信状態によって規定されるものであり、「指定動作」は、移動通信端末１０のおいて実行されるべき動作を示す。
【００３２】
図２の例では、「動作状態」には、移動通信端末１０においてタグＩＤの受信開始が検知された場合の動作状態としての「Ｉｎｔｏ状態」と、移動通信端末１０においてタグＩＤの受信中断が検知された場合の動作状態としての「Ｏｕｔ状態」とが挙げられている。
【００３３】
なお、図２に示すように、「機体番号」に「ＡＮＹ」が設定されている動作指定レコードは、全ての移動通信端末に共通の共通動作指定レコードであり、それ以外の動作指定レコードは、各移動通信端末固有の個別動作指定レコードである。
【００３４】
共通動作指定レコードに含まれるタグＩＤは、任意タグ監視モードで用いられるアクティブＲＦＩＤタグ２によって送信されるものであり、個別動作指定レコードに含まれるタグＩＤは、特定タグ監視モードで用いられるアクティブＲＦＩＤタグ２によって送信されるものである。
【００３５】
また、図２の例では、「指定動作」として、移動通信端末１０における鳴動動作や、移動通信端末１０におけるバイブ動作や、移動通信端末１０によって表示可能な視聴データが蓄積されている装置のアドレス（ＵＲＬ）を取得する動作（ＵＲＬ取得動作）や、後述する警告画面や監視画面や監視タグ登録画面や情報取得画面や情報画面を表示する動作等が挙げられている。
【００３６】
また、１つの動作指定レコードに、１つの指定動作が含まれるように構成されていてもよいし、複数の指定動作が含まれるように構成されていてもよい。
【００３７】
情報管理装置２０は、各移動通信端末１０に対して、動作指定テーブルを構成する動作指定レコードや所定のパラメータや所定の画面情報等を送信するように構成されている。
【００３８】
視聴データ提供装置３０は、各移動通信端末１０に対して、各移動通信端末１０用の視聴データ（コンテンツ）、又は、かかる視聴データが蓄積されている装置のアドレス（例えば、ＵＲＬ）を配信するように構成されている。
【００３９】
図３に示すように、移動通信端末１０は、情報受信部１１と、情報管理部１２と、リーダモード切替部１３と、動作状態検出部１４と、実行部１５と、操作部１６と、出力部１７と、タグＩＤ登録部１８とを具備している。なお、かかる移動通信端末の機能は、移動通信端末１０にインストールされたアプリケーションによって実現されていてもよい。また、移動通信端末１０には、上述した識別データ読取装置２としてのアクティブＲＦＩＤリーダ３が装着されている。
【００４０】
情報受信部１１は、情報管理装置２０から送信される動作指定テーブルを構成する動作指定レコードや所定のパラメータや所定の画面情報等や、視聴データ提供装置３０から送信される視聴データや当該視聴データが蓄積されている装置のアドレス（ＵＲＬ）等を受信するように構成されている。
【００４１】
具体的には、情報受信部１１は、情報管理装置２０から、機体番号（移動端末の識別情報）とタグＩＤ（識別データ）と動作状態と指定動作とを関連付ける個別動作指定レコードを受信するように構成されている。
【００４２】
情報管理部１２は、対象物１に設けられたアクティブＲＦＩＤタグ（設置媒体）２を識別するタグＩＤ（識別データ）と、当該タグＩＤの受信状態によって規定される動作状態と、指定動作とを関連付ける１つ又は複数の動作指定レコードを管理するように構成されている。
【００４３】
具体的には、情報管理部１２は、情報管理装置２０から送信された動作指定レコードの中から、当該移動通信端末固有の個別動作指定レコード及び全ての移動通信端末に共通の共通動作指定レコードを抽出して管理するように構成されている。
【００４４】
また、情報管理部１２は、情報受信部１１によって受信した個別動作指定レコードの中から、当該移動通信端末１０の機体番号（移動通信端末の識別情報）を含む個別動作指定レコードを取得し、かかる個別動作指定レコードに基づいて、動作指定レコードを管理するように構成されていている。
【００４５】
リーダモード切替部１３は、移動通信端末１０が任意タグ監視モードで動作しているのか、或いは、移動通信端末１０が特定タグ監視モードで動作しているのかについて、アクティブＲＦＩＤリーダ３に対して通知することによって、アクティブＲＦＩＤリーダ３におけるタグＩＤを受信するタイミングを規定するリーダモードを切り替えるように構成されている。
【００４６】
アクティブＲＦＩＤリーダ３は、リーダモード切替部１３によって切り替えられたリーダモードに応じて、アクティブＲＦＩＤタグから送信されるタグＩＤの受信タイミングを変更するように構成されている。
【００４７】
例えば、図４（ａ）に示すように、アクティブＲＦＩＤリーダ３は、任意タグ監視モードで動作中に、リーダモード（連続）で動作して、アクティブＲＦＩＤタグ２から送信されるタグＩＤを常時受信することによって、共通動作指定レコードに含まれているタグＩＤを受信するように構成されている。
【００４８】
また、図４（ｂ）に示すように、アクティブＲＦＩＤリーダ３は、特定タグ監視モードで動作中に、リーダモード（間欠）で動作して、アクティブＲＦＩＤタグ２から送信されるタグＩＤを所定タイミングで受信することによって、個別動作指定レコードに含まれているタグＩＤを受信するように構成されている。
【００４９】
なお、アクティブＲＦＩＤリーダ３は、特定タグ監視モードで動作中に、リーダモード（間欠のための連続）で動作して、アクティブＲＦＩＤタグ２から送信されるタグＩＤを常時受信することによって、個別動作指定テーブルに含まれているタグＩＤが送信される所定タイミングを学習するように構成されている。
【００５０】
動作状態検出部１４は、タグＩＤの受信状態を監視することによって、所定の動作状態を検出するように構成されている。具体的には、動作状態検出部１４は、アクティブＲＦＩＤタグからのタグＩＤの受信開始（又は、受信再開）が検知された場合に移動通信端末１０の動作状態が「Ｉｎｔｏ状態」であることを検出し、アクティブＲＦＩＤタグからのタグＩＤの受信中断が検知された場合に移動通信端末１０の動作状態が「Ｏｕｔ状態」であることを検出する。
【００５１】
実行部１５は、タグＩＤの受信状態によって規定される所定の動作状態が検出される場合、情報管理部１４を参照して、当該タグＩＤと当該動作状態とを含む動作指定レコードにおける指定動作を実行するように構成されている。
【００５２】
具体的には、実行部１５は、任意タグ監視モードで動作中に、タグＩＤの受信状態によって規定される所定の動作状態（Ｉｎｔｏ状態やＯｕｔ状態）が検出される場合、当該タグＩＤと当該動作状態とを含む共通動作指定レコードにおける指定動作を実行するように構成されている。
【００５３】
また、実行部１５は、特定タグ監視モードで動作中に、タグＩＤの受信状態によって規定される所定の動作状態（Ｉｎｔｏ状態やＯｕｔ状態）が検出される場合、当該タグＩＤと当該動作状態とを含む個別動作指定レコードにおける指定動作を実行するように構成されている。
【００５４】
また、実行部１５は、タグＩＤの受信開始が検知された場合、すなわち、動作状態検出部１４によって移動通信端末１０の動作状態が「Ｉｎｔｏ状態」であることが検出された場合、当該タグＩＤとＩｎｔｏ状態とを含む動作指定レコードにおける指定動作を実行するように構成されている。
【００５５】
また、実行部１５は、タグＩＤの受信中断が検知された場合、すなわち、動作状態検出部１４によって移動通信端末１０の動作状態が「Ｏｕｔ状態」であることが検出された場合、当該タグＩＤとＯｕｔ状態とを含む動作指定レコードにおける指定動作を実行するように構成されている。
【００５６】
例えば、情報管理装置２０によって図２に示す動作指定テーブルが記憶されている場合、実行部１５は、任意タグ監視モードで動作中に、タグＩＤ「Ａ０００１」の受信開始が検知された場合、当該タグＩＤとＩｎｔｏ状態とを含む動作指定レコードにおける指定動作として、移動通信端末１０によって表示可能な視聴データが蓄積されている装置のアドレスを取得する動作を実行するように構成されている。
【００５７】
また、かかる場合、機体番号「ＸＹＺ０００１」である移動通信端末１０の実行部１５は、特定タグ監視モードで動作中に、タグＩＤ「００００１」の受信中断が検知された場合、当該タグＩＤとＯｕｔ状態とを含む動作指定レコードにおける指定動作として、警告画面を表示する動作を実行するように構成されている。
【００５８】
なお、情報管理部１２において複数の動作指定レコードが記憶されている場合、実行部１５は、所定の優先順位によって実行する動作を決定してもよい。例えば、実行部１５は、「ＡＮＹ」が設定されている動作指定レコードを採用する優先順位を低くするように構成されていてもよい。
【００５９】
また、実行部１５は、操作部１６を介してユーザによって入力された指示（例えば、所定画面が表示されている際のボタン押下による指示等）に基づいて、出力部１７を介して所定画面や所定音声を出力するように構成されている。（本発明の第１の実施形態に係るサービス提供システムの動作）
以下、図５乃至図１２を参照して、本実施形態に係るサービス提供システムの動作について説明する。
【００６０】
図５乃至図８の例では、本実施形態に係るサービス提供システムは、任意タグ監視モードで動作中の移動通信端末１０に対して、対象物１（例えば、博物館に展示されているティラノサウルスの模型）に関連するコンテンツ（ティラノサウルスに関連する視聴データ）を配信するコンテンツ配信サービスを提供する。
【００６１】
また、図９乃至図１２の例では、本実施形態に係るサービス提供システムは、特定タグ監視モードで動作中の移動通信端末１０Ｘに対して、対象物１（例えば、財布等の貴重品）を監視する貴重品監視サービスを提供する。
【００６２】
第１に、図５及び図６を参照して、本実施形態に係るサービス提供システムにおいて、任意タグ監視モードで動作中の移動通信端末１０の動作状態が「Ｉｎｔｏ状態」であることが検出される場合の動作について説明する。
【００６３】
図５及び図６に示すように、ステップＳ１０１において、移動通信端末１０のユーザが、「Ａ」にいる状態で、移動通信端末１０が、任意タグ監視モードにて起動する。
【００６４】
ここで、移動通信端末１０の情報受信部１１は、情報管理装置２０から、当該移動通信端末１０に関連する動作指定レコード（当該移動通信端末１０固有の個別動作指定レコードや共通動作指定レコードを受信して、情報管理部１２に記憶する。
【００６５】
また、情報受信部１１は、情報管理装置２０から、任意タグ監視モードにおいて必要なシステムパラメータ（例えば、鳴動動作で使用される音声情報や待ち受け画面の表示方法等）や、必要な画面情報等を受信する。
【００６６】
ステップＳ１０２において、実行部１５が、出力部１７を介して待ち受け画面を表示すると共に、アクティブＲＦＩＤリーダ３が、アクティブＲＦＩＤタグ２から送信される任意タグ監視モード用のタグＩＤを常時受信できる状態である「リーダモード（連続）」で動作する。
【００６７】
ここで、待ち受け画面上の「学習」ボタンが押下されると、移動通信端末１０は、特定タグ監視モードにて起動するように移行するものとする。
【００６８】
ステップＳ１０３において、移動通信端末１０のユーザが、「Ａ」から「Ｂ」又は「Ｃ」に移動した場合（すなわち、移動通信端末１０のユーザが、コンテンツ（ティラノサウルスに関連する視聴データ）配信エリア内に入った場合）、アクティブＲＦＩＤリーダ３が、対象物１（ティラノサウルスの模型）に設けられているアクティブＲＦＩＤタグ２から任意タグ監視モード用のタグＩＤ「Ａ０００１」を受信し、動作状態検出部１４が、移動通信端末１０の動作状態が「Ｉｎｔｏ状態」であることを検出する。
【００６９】
ステップＳ１０４において、実行部１５が、上述の検出に基づいて、当該任意タグ監視モード用のタグＩＤ「Ａ０００１」を含む共通動作指定レコード（Ｉｎｔｏ状態用）に含まれている指定動作を行う。
【００７０】
図２の例では、実行部１５は、上述の指定動作として、対象物１（ティラノサウルスの模型）に関連するコンテンツ（ティラノサウルスに関連する視聴データ）が蓄積されているＵＲＬを取得する動作を行うと共に、情報取得画面（図６参照）を表示する動作を行う。
【００７１】
ステップＳ１０５において、情報取得画面上で「見ない」ボタンが押下された場合、本動作は、ステップＳ１０２に戻る。一方、ステップＳ１０５において、情報取得画面上で「見る」ボタンが押下された場合、ステップＳ１０６において、実行部１５は、上述のＵＲＬを用いて、対象物１（ティラノサウルスの模型）に関連するコンテンツ（ティラノサウルスに関連する視聴データ）をダウンロードして、出力部１７を介して表示する。
【００７２】
第２に、図７及び図８を参照して、本実施形態に係るサービス提供システムにおいて、任意タグ監視モードで動作中の移動通信端末１０の動作状態が「Ｏｕｔ状態」であることが検出される場合の動作について説明する。
【００７３】
図７及び図８に示すように、ステップＳ２０１において、移動通信端末１０のユーザが、「Ａ」にいる状態で、実行部１５が、情報取得画面を表示し続けている。ここで、アクティブＲＦＩＤリーダ３は、対象物１（ティラノサウルスの模型）に設けられているアクティブＲＦＩＤタグ２からタグＩＤ「Ａ０００１」を受信し続けている。
【００７４】
ステップＳ２０２において、移動通信端末１０のユーザが、「Ａ」から「ＢＢ」に移動した場合（すなわち、移動通信端末１０のユーザが、コンテンツ（ティラノサウルスに関連する視聴データ）配信エリアから外に出た場合）で、アクティブＲＦＩＤリーダ３によるタグＩＤ「Ａ０００１」の受信が中断された場合、動作状態検出部１４が、移動通信端末１０の動作状態が「Ｏｕｔ状態」であることを検出し、ステップＳ２０３において、実行部１５が、上述の検出に基づいて、当該任意タグ監視モード用のタグＩＤ「Ａ０００１」を含む共通動作指定レコード（Ｏｕｔ状態用）に含まれている指定動作を行う。
【００７５】
図２の例では、実行部１５は、上述の指定動作として、対象物１（ティラノサウルスの模型）に関連するコンテンツ（ティラノサウルスの模型に関連する視聴データ）を視聴したか否かについて確認するための情報画面（図８参照）を表示する動作を行う。
【００７６】
ステップＳ２０４において、情報画面上で「了解」ボタンが押下された場合、ステップＳ２０５において、実行部１５は、出力部１７を介して待ち受け画面を表示する。
【００７７】
一方、ステップＳ２０４において、情報画面上で「了解」ボタンが押下されることなく、ステップＳ２０６において、移動通信端末１０のユーザが、「Ｂ」から「Ａ」に再度移動した場合（すなわち、移動通信端末１０のユーザが、コンテンツ（ティラノサウルスに関連する視聴データ）配信エリア内に再度入った場合）、アクティブＲＦＩＤリーダ３によるタグＩＤ「Ａ０００１」の受信が再開されて、動作状態検出部１４が、移動通信端末１０の動作状態が「Ｉｎｔｏ状態」であることを検出し、ステップＳ２０７において、実行部１５が、上述の検出に基づいて、当該任意タグ監視モード用のタグＩＤ「Ａ０００１」を含む共通動作指定レコード（Ｉｎｔｏ状態用）に含まれている指定動作を行い、本動作は、ステップＳ２０１に戻る。
【００７８】
図２の例では、実行部１５は、上述の指定動作として、対象物１（ティラノサウルスの模型）に関連するコンテンツ（ティラノサウルスに関連する視聴データ）が蓄積されているＵＲＬを取得する動作を行うと共に、情報取得画面を表示する動作を行う。
【００７９】
第３に、図９及び図１０を参照して、本実施形態に係るサービス提供システムにおいて、特定タグ監視モードで動作中の移動通信端末１０の動作状態が「Ｉｎｔｏ状態」であることが検出される場合の動作について説明する。
【００８０】
図９及び図１０に示すように、ステップＳ３０１において、移動通信端末１０Ｘ（機体番号ＸＹＺ００１）のユーザＸが、「Ａ１」にいる状態で、移動通信端末１０Ｘが、特定タグ監視モードにて起動する。
【００８１】
ここで、移動通信端末１０Ｘの情報受信部１１は、情報管理装置２０から、当該移動通信端末１０Ｘに関連する動作指定レコード（当該移動通信端末１０Ｘ固有の個別動作指定レコードや共通動作指定レコードを受信して、移動通信端末１０Ｘの情報管理部１２に記憶する。
【００８２】
また、移動通信端末１０Ｘの情報受信部１１は、情報管理装置２０から、特定タグ監視モードにおいて必要なシステムパラメータ（例えば、鳴動動作で使用される音声情報や待ち受け画面の表示方法等）や、必要な画面情報等を受信する。
【００８３】
ステップＳ３０２において、移動通信端末１０Ｘの実行部１５が、移動通信端末１０Ｘの出力部１７を介して待ち受け画面を表示すると共に、移動通信端末１０ＸのアクティブＲＦＩＤリーダ３が、対象物１（ユーザＸの貴重品）に設けられているアクティブＲＦＩＤタグ２から送信される（機体番号ＸＹＺ００１の移動通信端末１０Ｘ宛ての）特定タグ監視モード用のタグＩＤ（移動通信端末１０Ｘの情報管理部１２によって管理されている個別動作指定テーブルに含まれているタグＩＤ）を受信するための「リーダモード（間欠のための連続）」で動作する。
【００８４】
具体的には、「リーダモード（間欠のための連続）」では、（機体番号ＸＹＺ００１の移動通信端末１０Ｘ宛ての）特定タグ監視モード用のタグＩＤ「００００１」が送信される所定タイミングを学習するために、移動通信端末１０ＸのアクティブＲＦＩＤリーダ３が、対象物１（ユーザＸの貴重品）に設けられているアクティブＲＦＩＤタグ２から送信されるタグＩＤを常時受信するように設定される。
【００８５】
ステップＳ３０３において、移動通信端末１０ＸのユーザＸが、「Ａ１」から「Ｂ１」に移動した場合（すなわち、移動通信端末１０ＸのユーザＸが、貴重品（お財布）監視エリア内に入った場合）、移動通信端末１０ＸのアクティブＲＦＩＤリーダ３が、対象物１（ユーザＸの貴重品）に設けられているアクティブＲＦＩＤタグ２から機体番号ＸＹＺ００１の移動通信端末１０Ｘ宛ての特定タグ監視モード用のタグＩＤ「００００１」が送信される所定タイミングを学習し、かかる所定タイミングで、対象物１（ユーザＸの貴重品）に設けられているアクティブＲＦＩＤタグ２から機体番号ＸＹＺ００１の移動通信端末１０Ｘ宛ての特定タグ監視モード用のタグＩＤ「００００１」を受信し、移動通信端末１０Ｘの動作状態検出部１４が、移動通信端末１０Ｘの動作状態が「Ｉｎｔｏ状態」であることを検出する。
【００８６】
なお、移動通信端末１０Ｙ（機体番号ＸＹＺ００２）のユーザＹが、貴重品（財布）監視エリア内の位置「Ｂ２」にいる場合であっても、移動通信端末１０ＹのアクティブＲＦＩＤリーダ３が、対象物１（ユーザＸの貴重品）に設けられているアクティブＲＦＩＤタグ２から送信される機体番号ＸＹＺ００１宛ての特定タグ監視モード用のタグＩＤ「００００１」を受信することができないため、ユーザＹは、対象物１（ユーザＸの貴重品）を監視することができない。
【００８７】
ステップＳ３０４において、実行部１５が、上述の検出に基づいて、当該特定タグ監視モード用のタグＩＤ「００００１」を含む個別動作指定レコードに含まれている指定動作を行う。
【００８８】
具体的には、実行部１５は、上述の指定動作として、監視タグ登録画面（図１０参照）を表示する動作を行う。なお、後述するように、監視タグ登録画面上で、監視する対象物１（ユーザＸの貴重品）が既に登録された場合、実行部１５は、監視タグ登録画面（図１０参照）の代わりに、監視画面（図１０参照）を表示する。
【００８９】
ステップＳ３０５において、監視タグ登録画面上で「いいえ」ボタンが押下された場合、本動作は、ステップＳ３０２に戻る。一方、ステップＳ３０５において、監視タグ登録画面上で「はい」ボタンが押下された場合、ステップＳ３０６において、実行部１５は、監視画面（図１０参照）を表示する。
【００９０】
この際、対象物１（ユーザＸの貴重品）の監視サービスの提供開始後は、移動通信端末１０ＸのアクティブＲＦＩＤリーダ３は、「リーダモード（間欠）」で動作する。
【００９１】
ここで、監視する対象物１（ユーザＸの貴重品）の候補が複数ある場合、実行部１５は、監視タグ登録画面上に、複数の対象物１（例えば、ユーザＸの財布や携帯電話や鍵等）を表示し、ユーザＸが、チェックボックス等を用いて、１つ又は複数の対象物１を選択するように構成されていてもよい。
【００９２】
第４に、図１１及び図１２を参照して、本実施形態に係るサービス提供システムにおいて、特定タグ監視モードで動作中の移動通信端末１０の動作状態が「Ｏｕｔ状態」であることが検出される場合の動作について説明する。
【００９３】
図１１及び図１２に示すように、ステップＳ４０１において、移動通信端末１０のユーザが、「Ａ」にいる状態で、実行部１５が、監視画面を表示し続けている。ここで、アクティブＲＦＩＤリーダ３は、対象物１（ユーザＸの貴重品）に設けられているアクティブＲＦＩＤタグ２からタグＩＤ「００００１」を受信し続けている。
【００９４】
ステップＳ４０２において、移動通信端末１０のユーザが、「Ｂ１」から「Ａ１」に移動した場合（すなわち、移動通信端末１０のユーザが、貴重品（財布）配信エリアから外に出た場合）で、アクティブＲＦＩＤリーダ３によるタグＩＤ「００００１」の受信が中断された場合、動作状態検出部１４が、移動通信端末１０の動作状態が「Ｏｕｔ状態」であることを検出し、ステップＳ４０３において、実行部１５が、上述の検出に基づいて、当該特定タグ監視モード用のタグＩＤ「００００１」を含む個別動作指定レコード（Ｏｕｔ状態用）に含まれている指定動作を行う。
【００９５】
図２の例では、実行部１５は、上述の指定動作として、鳴動動作を行うと共に、対象物１（貴重品）がユーザＸから離れたことを警告する警告画面（図１２参照）を表示する動作を行う。
【００９６】
なお、鳴動動作は、一定期間経過後、自動的に停止するように構成されていてもよいし、警告画面上の「確認」ボタンを押下されることによって停止するように構成されていてもよい。
【００９７】
かかる場合、移動通信端末１０ＸのアクティブＲＦＩＤリーダ３は、対象物１（貴重品）に設けられているアクティブＲＦＩＤタグ２から送信される特定タグ監視モード用のタグＩＤの受信に失敗する可能性を低減するために、タグＩＤを常時受信する「リーダモード（連続）」で動作する。
【００９８】
ステップＳ４０４において、警告画面上で「解除」ボタンが押下された場合、ステップＳ４０５において、実行部１５は、出力部１７を介して待ち受け画面を表示する。
【００９９】
ここで、複数の対象物１が監視されるように登録されている場合、ユーザＸは、チェックボックス等を用いて、１つ又は複数の対象物１の監視を停止するように構成されていてもよい。
【０１００】
一方、ステップＳ４０４において、情報画面上で「解除」ボタンが押下されることなく、ステップＳ４０６において、移動通信端末１０ＸのユーザＸが、「Ａ１」から「Ｂ１」に再度移動した場合（すなわち、移動通信端末１０ＸのユーザＸが、貴重品（財布）監視エリア内に再度入った場合）、アクティブＲＦＩＤリーダ３によるタグＩＤ「００００１」の受信が再開されて、動作状態検出部１４が、移動通信端末１０の動作状態が「Ｉｎｔｏ状態」であることを検出し、ステップＳ４０７において、実行部１５が、上述の検出に基づいて、当該特定タグ監視モード用のタグＩＤ「００００１」を含む個別動作指定レコード（Ｉｎｔｏ状態用）に含まれている指定動作を行い、本動作は、ステップＳ４０１に戻る。
【０１０１】
図２の例では、実行部１５は、上述の指定動作として、対象物１（貴重品）についての監視画面を表示する動作を行う。
【０１０２】
（本発明の第１の実施形態に係るサービス提供システムの作用・効果）
本実施形態に係るサービス提供システムによれば、移動通信端末（再生装置）１０において受信されるタグＩＤ（識別データ）及び当該タグＩＤの受信状態によって規定される動作状態（Ｉｎｔｏ状態やＯｕｔ状態）によって実行すべき動作を指定することができるため、各ユーザの移動通信端末１０を利用して、複数のサービス（例えば、ユーザごとに移動通信端末１０で再生される視聴データ（コンテンツ）を柔軟に変更するサービスや、ユーザの貴重品を監視するサービス等）を容易に提供することができる。
【０１０３】
また、本実施形態に係るサービス提供システムによれば、任意タグ監視モードにおいて、全てのユーザに共通のサービス（例えば、被鑑賞対象の自動案内サービス、すなわち、被鑑賞対象に関連する視聴データ（コンテンツ）提供サービス等）を提供することができ、特定タグ監視モードにおいて、ユーザ固有のサービス（例えば、貴重品監視サービス等）を提供することができる。
【０１０４】
また、本実施形態に係るサービス提供システムによれば、アクティブＲＦＩＤリーダ（識別データ読取部）３が、対象物１に設けられているアクティブＲＦＩＤタグ（設置媒体）２により特定タグ監視モード用の識別データ（自分宛ての）が送信される所定タイミングを学習し、学習した所定タイミングのみでアクティブＲＦＩＤタグ２から送信されたタグＩＤを受信すればよいため、移動通信端末１０における消費電力を節約することができる。
【０１０５】
また、本実施形態に係るサービス提供システムによれば、各移動通信端末１０は、自身の機体番号（識別情報）を含む個別動作指定レコードのみを管理するように構成されているので、他の移動通信端末が保有するアクティブＲＦＩＤタグ（設置媒体）２から送信されるタグＩＤ（識別データ）を監視することができず、セキュリティの向上が図られる。
【図面の簡単な説明】
【０１０６】
【図１】本発明の第１の実施形態に係るサービス提供システムの全体構成図である。
【図２】本発明の第１の実施形態に係るサービス提供システムにおける情報管理装置の動作指定テーブル記憶部に記憶される動作指定テーブルの一例を示す図である。
【図３】本発明の第１の実施形態に係るサービス提供システムにおける再生装置（移動通信端末）の機能ブロック図である。
【図４】本発明の第１の実施形態に係るサービス提供システムにおける再生装置がタグＩＤを検出するタイミングを説明するための図である。
【図５】本発明の第１の実施形態に係るサービス提供システムにおける再生装置の任意タグ監視モード（Ｉｎｔｏ状態）における動作を示すフローチャートである。
【図６】本発明の第１の実施形態に係るサービス提供システムにおける再生装置の任意タグ監視モード（Ｉｎｔｏ状態）における動作を説明するための図である。
【図７】本発明の第１の実施形態に係るサービス提供システムにおける再生装置の任意タグ監視モード（Ｏｕｔ状態）における動作を示すフローチャートである。
【図８】本発明の第１の実施形態に係るサービス提供システムにおける再生装置の任意タグ監視モード（Ｏｕｔ状態）における動作を説明するための図である。
【図９】本発明の第１の実施形態に係るサービス提供システムにおける再生装置の特定タグ監視モード（Ｉｎｔｏ状態）における動作を示すフローチャートである。
【図１０】本発明の第１の実施形態に係るサービス提供システムにおける再生装置の特定タグ監視モード（Ｉｎｔｏ状態）における動作を説明するための図である。
【図１１】本発明の第１の実施形態に係るサービス提供システムにおける再生装置の特定タグ監視モード（Ｏｕｔ状態）における動作を示すフローチャートである。
【図１２】本発明の第１の実施形態に係るサービス提供システムにおける再生装置の特定タグ監視モード（Ｏｕｔ状態）における動作を説明するための図である。
【符号の説明】
【０１０７】
１…対象物
２…設置媒体（アクティブＲＦＩＤタグ）
３…識別データ読取装置（アクティブＲＦＩＤリーダ）
４…ネットワーク
１０…再生装置（移動通信端末）
１１…情報受信部
１２…情報管理部
１３…リーダモード切替部
１４…動作状態検出部
１５…実行部
１６…操作部
１７…出力部
１８…タグＩＤ登録部
２０…情報管理装置
２０Ａ…動作指定テーブル記憶部
３０…視聴データ提供装置
【図１】
0004751748.tif 000002
【図２】
0004751748.tif 000003
【図３】
0004751748.tif 000004
【図４】
0004751748.tif 000005
【図５】
0004751748.tif 000006
【図６】
0004751748.tif 000007
【図７】
0004751748.tif 000008
【図８】
0004751748.tif 000009
【図９】
0004751748.tif 000010
【図１０】
0004751748.tif 000011
【図１１】
0004751748.tif 000012
【図１２】
0004751748.tif 000013